(57)【要約】【課題】バックライトの点灯不能という不具合を確実に抑止する。【解決手段】バックライトを駆動させるための制御信号をバックライト側の回路へ出力する出力ポートを有するメイン制御部と、メイン制御部に対し、電源とメイン制御部の機能を有効化するためのイネーブル信号とを供給する供給部と、を備える電子回路であって、上記イネーブル信号の供給が実行されるまで上記出力ポートからのバックライト側への信号出力を停止させる停止回路をさらに備える。【選択図】図２
2012203075.tif 000002
【特許請求の範囲】
【請求項１】
バックライトを駆動させるための制御信号をバックライト側の回路へ出力する出力ポートを有するメイン制御部と、メイン制御部に対し、電源とメイン制御部の機能を有効化するためのイネーブル信号とを供給する供給部と、を備える電子回路であって、
上記イネーブル信号の供給が実行されるまで上記出力ポートからのバックライト側への信号出力を停止させる停止回路をさらに備えることを特徴とする電子回路。
【請求項２】
上記停止回路は、上記出力ポートとグラウンドとの間に配設されて出力ポートをグラウンドへ導通させるスイッチ素子を備え、当該スイッチ素子は、上記イネーブル信号の供給に伴い出力ポートとグラウンドとの接続を切ることを特徴とする請求項１に記載の電子回路。
【請求項３】
液晶パネルと、液晶パネルを照射するためのバックライトと、バックライトの駆動を制御するためのバックライト制御ＩＣと、バックライト制御ＩＣを駆動するための制御信号をバックライト制御ＩＣへ出力する出力ポートを有するメインＩＣと、メインＩＣに対し第１電源供給ラインにより電源を供給する第１ＤＣ‐ＤＣコンバータと、第１ＤＣ‐ＤＣコンバータから第２電源供給ラインにより供給される電源を受けて、メインＩＣの機能を有効化するためのイネーブル信号をメインＩＣに対し供給する第２ＤＣ‐ＤＣコンバータと、を備える液晶表示装置であって、
上記イネーブル信号の供給が実行されるまで上記出力ポートからバックライト制御ＩＣへの信号出力を停止させる停止回路をさらに備え、
上記停止回路は、上記出力ポートとグラウンドとの間に配設された第１トランジスタであって第１ＤＣ‐ＤＣコンバータから第３電源供給ラインにより供給される電源をベースに入力してオン状態となり出力ポートをグラウンドへ導通させる第１トランジスタと、第３電源供給ラインとグラウンドとの間に配設された第２トランジスタであって第２ＤＣ‐ＤＣコンバータから供給されるイネーブル信号をベースに入力してオン状態となることにより第１トランジスタをオフ状態にして出力ポートとグラウンドとの接続を切る第２トランジスタとを備えることを特徴とする液晶表示装置。
【発明の詳細な説明】
【技術分野】
【０００１】
本発明は、電子回路および液晶表示装置に関する。
【背景技術】
【０００２】
液晶表示装置においては、バックライトにより液晶パネルを照射することで映像表示に必要な明るさを確保する。液晶表示装置は、バックライトの駆動を制御するためのバックライト制御ＩＣや、バックライト制御ＩＣの制御等を実行するメインＩＣを備える。メインＩＣは、バックライト制御ＩＣに対する制御の他にも、液晶表示装置内の各部をコントロールする。液晶表示装置では、装置の主電源が入れられると装置内の電源回路からメインＩＣに対し駆動用の電源が供給され、また、メインＩＣの機能を有効化するためのイネーブル信号が供給される。メインＩＣは、当該電源およびイネーブル信号の供給を受けることで実質的に稼働する。
【０００３】
なお、電源供給の制御技術の一つとして、通常は電源供給されていない第１周辺機器に対する電源供給を開始する際に、電源供給状態になっている第２周辺機器の電源供給を停止し、第１周辺機器に対する消費電流が安定した後に、第２周辺機器の電源供給を再開する携帯用端末装置が知られている（特許文献１参照。）。
【先行技術文献】
【特許文献】
【０００４】
【特許文献１】特開２００１‐２５１６６号公報
【発明の概要】
【発明が解決しようとする課題】
【０００５】
上述したメインＩＣに対しては、電源供給にかかる回路の設計上、主電源をオンにする操作がなされるとまず電源が供給され、その後（微小時間経過後）にイネーブル信号が供給される。このように電源供給とイネーブル信号の供給との間に時間差があると、メインＩＣが備える出力ポートにおける電圧レベルが一時的に不安定になることがある。当該出力ポートの電圧レベルが一時的に不安定になると、当該出力ポートからの信号を入力するバックライト制御ＩＣ側では、本来不要な（異常な）信号値を検出することがある。そして、この異常な信号値の検出に伴い、バックライト制御ＩＣがラッチ（状態保持）することがあり、結果、その後バックライトを点灯できないこともある。なお上記文献は、このようなメインＩＣの出力ポートの不安定化によるバックライト制御ＩＣのラッチを解消しようとするものではなかった。
【０００６】
本発明は上記課題を解決するためになされたものであり、バックライトの点灯不能という不具合発生を確実に抑止するための技術を提供する。
【課題を解決するための手段】
【０００７】
本発明の態様の一つは、バックライトを駆動させるための制御信号をバックライト側の回路へ出力する出力ポートを有するメイン制御部と、メイン制御部に対し、電源とメイン制御部の機能を有効化するためのイネーブル信号とを供給する供給部と、を備える電子回路であって、上記イネーブル信号の供給が実行されるまで上記出力ポートからのバックライト側への信号出力を停止させる停止回路をさらに備える構成としてある。
【０００８】
当該構成によれば、イネーブル信号の供給が実行されるまでは、つまりメイン制御部が正常に稼働開始するまでは、メイン制御部の上記出力ポートからのバックライト側への信号出力が停止される。そのため、イネーブル信号の供給がされるまでの期間における上記出力ポートの電圧レベルの不安定化に起因するバックライト側の異常発生が、確実に抑止される。
【図面の簡単な説明】
【０００９】
【図１】液晶表示装置の構成を概略的に示す図である。
【図２】停止回路の回路図である。
【図３】本実施形態による各信号の変化態様を例示する図である。
【図４】従来における各信号の変化態様を例示する図である。
【発明を実施するための形態】
【００１０】
本発明の実施形態として、上記停止回路は、上記出力ポートとグラウンドとの間に配設されて出力ポートをグラウンドへ導通させるスイッチ素子を備え、当該スイッチ素子は、上記イネーブル信号の供給に伴い出力ポートとグラウンドとの接続を切る、という構成を採用できる。
また、本発明の実施形態として、液晶パネルと、液晶パネルを照射するためのバックライトと、バックライトの駆動を制御するためのバックライト制御ＩＣと、バックライト制御ＩＣを駆動するための制御信号をバックライト制御ＩＣへ出力する出力ポートを有するメインＩＣと、メインＩＣに対し第１電源供給ラインにより電源を供給する第１ＤＣ‐ＤＣコンバータと、第１ＤＣ‐ＤＣコンバータから第２電源供給ラインにより供給される電源を受けて、メインＩＣの機能を有効化するためのイネーブル信号をメインＩＣに対し供給する第２ＤＣ‐ＤＣコンバータと、を備える液晶表示装置であって、上記イネーブル信号の供給が実行されるまで上記出力ポートからバックライト制御ＩＣへの信号出力を停止させる停止回路をさらに備え、上記停止回路は、上記出力ポートとグラウンドとの間に配設された第１トランジスタであって第１ＤＣ‐ＤＣコンバータから第３電源供給ラインにより供給される電源をベースに入力してオン状態となり出力ポートをグラウンドへ導通させる第１トランジスタと、第３電源供給ラインとグラウンドとの間に配設された第２トランジスタであって第２ＤＣ‐ＤＣコンバータから供給されるイネーブル信号をベースに入力してオン状態となることにより第１トランジスタをオフ状態にして出力ポートとグラウンドとの接続を切る第２トランジスタとを備える構成を採用できる。
【００１１】
以下、図面を参照しながら本発明の実施形態をより詳細に説明する。
図１は、本実施形態にかかる液晶表示装置１０の構成を概略的に示している。液晶表示装置１０は、本発明の電子回路を構成の一部として含む装置である。液晶表示装置１０は、ＤＣ‐ＤＣコンバータ１１、ＤＣ‐ＤＣコンバータ１２、メインＩＣ（Integrated Circuit）１３、バックライト（ＢＬ）制御ＩＣ１４、バックライト１５、パネル駆動回路１６、液晶パネル１７、停止回路２０等を含んでいる。ＤＣ‐ＤＣコンバータ１１およびＤＣ‐ＤＣコンバータ１２は、入力した直流電圧ＤＣを異なる値の直流電圧ＤＣに変換して出力する回路であり、供給部に該当する。ＤＣ‐ＤＣコンバータ１１は第１ＤＣ‐ＤＣコンバータに該当し、ＤＣ‐ＤＣコンバータ１２は第２ＤＣ‐ＤＣコンバータに該当する。
【００１２】
ＤＣ‐ＤＣコンバータ１１は、液晶表示装置１０が備える図示しない電源回路で生成された直流電圧ＤＣを入力し、常時電圧Ｖall（例えば、３．３Ｖ）や電源電圧Ｖcc（例えば、３．３Ｖ）を出力する。常時電圧Ｖallは、液晶表示装置１０が、電源コード（ＡＣコード）を介して外部の商用電源と接続している場合に常にＤＣ‐ＤＣコンバータ１１からラインＬ３（第３電源供給ライン）へ出力される電圧である。一方、電源電圧Ｖccは、液晶表示装置１０の主電源（電源ボタン）がユーザによってオン状態とされることで、ＤＣ‐ＤＣコンバータ１１からラインＬ１（第１電源供給ライン）へ出力される電圧である。
【００１３】
常時電圧Ｖallは、ラインＬ３を介して停止回路２０へ入力される。一方、電源電圧Ｖccは、ラインＬ１を介してメインＩＣ１３へ入力される。メインＩＣ１３は、所定の制御用プログラムに従って液晶表示装置１０全体をコントロールする制御部である。メインＩＣ１３は、複数の入力ポートおよび出力ポートを備え、そのうちの一つとして、出力ポート１３ａを有している。出力ポート１３ａからはＢＬ制御ＩＣ１４を駆動するための制御信号（ＢＬ‐ＳＷ信号）をＢＬ制御ＩＣ１４へ向けて出力可能である。ＢＬ制御ＩＣ１４は、ＢＬ‐ＳＷ信号を入力することにより駆動し、バックライト１５の駆動を制御する（バックライト１５の点灯／消灯や、輝度等を制御する）。ＢＬ‐ＳＷ信号は、バックライト１５を駆動させるための制御信号であるとも言える。
【００１４】
電源電圧Ｖccは、ラインＬ１から枝分かれしたラインＬ２（第２電源供給ライン）を介してＤＣ‐ＤＣコンバータ１２へも入力される。ＤＣ‐ＤＣコンバータ１２は、入力した電源電圧Ｖccを低減させて生成した電圧（イネーブル（ＥＮ）信号）を、メインＩＣ１３へ入力する。ＥＮ信号は、例えば、１．２５Ｖとなる。ＥＮ信号は、メインＩＣ１３の機能を有効化するための信号である。つまりメインＩＣ１３は、電源ボタンがユーザによってオン状態とされることで電源電圧Ｖccを入力し、かつ、所定値のＥＮ信号を入力した場合に、稼働を開始する。稼働開始したメインＩＣ１３からは適切な値の上記ＢＬ‐ＳＷ信号が適切なタイミングで出力ポート１３ａから出力される。これにより、バックライト１５が点灯し、液晶パネル１７を照射する。なお、ＥＮ信号は、停止回路２０へも入力される。
【００１５】
また、液晶表示装置１０では、パネル駆動回路１６が、所定の入力系統により入力した映像信号（入力映像信号）に基づいて液晶パネル１７の各画素を駆動することにより、液晶パネル１７に映像表示をさせる。液晶表示装置１０は、放送信号の受信機能（チューナ等）を備えないモニターであってもよいし、放送信号の受信機能を備えるテレビジョンであってもよい。さらに液晶表示装置１０は、入力映像信号に対する所定の映像処理を実行する映像処理回路や、信号のデコード処理を行うデコーダや、音声出力のための回路やスピーカ等、モニター或いはテレビジョンとして公知の各種構成を有する。
【００１６】
このように、電源電圧ＶccがメインＩＣ１３およびＤＣ‐ＤＣコンバータ１２へ入力され、ＤＣ‐ＤＣコンバータ１２が電源電圧Ｖccに基づいてＥＮ信号を生成する構成においては、メインＩＣ１３が電源電圧Ｖccよりも先にＥＮ信号を入力することはあり得ない。そのため、メインＩＣ１３が電源電圧Ｖccを入力してからＥＮ信号を入力するまでに微小な時間差が生じ、この微小時間中においては、メインＩＣ１３の出力ポート１３ａにおける電圧レベルが電源電圧Ｖccの影響を受けて不安定化する場合がある。つまり、本来メインＩＣ１３が稼働開始して適切な値のＢＬ‐ＳＷ信号を適切なタイミングで出力ポート１３ａから出力するまでは、出力ポート１３ａの電位は０（ＢＬ‐ＳＷ信号無し）であるべきところ、上記不安定化により出力ポート１３ａから何らかの値（異常値）が出力され、この異常値をＢＬ制御ＩＣ１４が入力してしまうことが考えられる。なお、メインＩＣ１３が電源電圧Ｖccを入力するタイミングとＥＮ信号を入力するタイミングとのずれを０にできれば上記異常値は発生しなくなるが、そのような構成を実現するには当該装置における電源供給のシーケンスを大幅に変更する必要があり、多大な労力およびコストを要する。そこで本実施形態では、停止回路２０を出力ポート１３ａに接続するという低コストかつ低労力な手法により、このような異常値が発生しないようにしている。
【００１７】
図２は、停止回路２０の回路構成を示している。停止回路２０は、トランジスタＴｒ１（第１トランジスタ。スイッチ素子。）とトランジスタＴｒ２（第２トランジスタ）とを含む回路である。トランジスタＴｒ１は、出力ポート１３ａとグラウンドＧＮＤとの間に配設されており、そのコレクタを、抵抗Ｒ１を挟んで出力ポート１３ａ側に接続し、エミッタをグラウンドＧＮＤ側に接続している。また、トランジスタＴｒ１のベースには抵抗Ｒ２を介して常時電圧Ｖallが印加されている。トランジスタＴｒ１は、常時電圧Ｖallをベースに入力することでコレクタ‐エミッタ間が導通してオン状態となり、これにより出力ポート１３ａをグラウンドＧＮＤへ導通させる（出力ポート１３ａの電位が０に保たれる）。
【００１８】
トランジスタＴｒ２は、ラインＬ３（常時電圧Ｖall）とグラウンドＧＮＤとの間に配設されており、そのコレクタを、抵抗Ｒ２を挟んでラインＬ３側に接続し、エミッタをグラウンドＧＮＤ側に接続している。また、トランジスタＴｒ２のベースには抵抗Ｒ３を介してＥＮ信号が印加される。トランジスタＴｒ２は、ＥＮ信号をベースに入力することでコレクタ‐エミッタ間が導通してオン状態となる。つまり、トランジスタＴｒ２がオン状態となることで、ラインＬ３の電位がグラウンドＧＮＤに落ち、同時にトランジスタＴｒ１のベース電圧が下がりトランジスタＴｒ１がオフ状態となる。これにより出力ポート１３ａとグラウンドＧＮＤとの接続が切れ、出力ポート１３ａからの出力はＢＬ制御ＩＣ１４へ入力されるようになる。すなわち本実施形態によれば、メインＩＣ１３へのＥＮ信号の供給が実行されるまでは、出力ポート１３ａからＢＬ制御ＩＣ１４への信号出力を確実に停止させることができる。
【００１９】
図３は、本実施形態による各信号の変化態様を例示しており、図４は、停止回路２０を備えない従来の構成における各信号の変化態様を例示している。従来（図４）においては、電源ボタンのオン（Ｐ‐ＯＮ）により電源電圧Ｖccが立ち上がるとこれに伴い、メインＩＣ１３にＥＮ信号が入力されるよりも前に、出力ポート１３ａで上記異常値としてのＢＬ‐ＳＷ信号が立ち上がる。このような高い異常値をＢＬ制御ＩＣ１４が入力すると、ＢＬ制御ＩＣ１４の仕様によってはラッチ（状態保持）してしまうことがあり、その結果、以降バックライト１５が点灯されないことがある。
【００２０】
一方、本実施形態（図３）によれば、電源ボタンのオン（Ｐ‐ＯＮ）により電源電圧Ｖccが立ち上がった場合でも、（ある一定値以上の）ＥＮ信号がメインＩＣ１３に入力されるまでトランジスタＴｒ１のベース電圧が所定の高い状態で維持される（トランジスタＴｒ１のオン状態が維持される）ため、上記異常値としてのＢＬ‐ＳＷ信号が出力ポート１３ａからＢＬ制御ＩＣ１４側へ出力される事態は発生し得ない。よって、その後、メインＩＣ１３が稼働開始して適切な値のＢＬ‐ＳＷ信号が適切なタイミングで出力ポート１３ａから出力される。このように本実施形態によれば、メインＩＣ１３が稼働開始するまでに出力ポート１３ａに異常値が発生してそれによりバックライト１５が点灯できなくなる、という不具合を簡易な構成で確実に解消することができる。
【符号の説明】
【００２１】
１０…液晶表示装置、１１，１２…ＤＣ‐ＤＣコンバータ、１３…メインＩＣ、１４…ＢＬ制御ＩＣ、１５…バックライト、１７…液晶パネル、２０…停止回路
【図１】
2012203075.tif 000003
【図２】
2012203075.tif 000004
【図３】
2012203075.tif 000005
【図４】
2012203075.tif 000006